(57)【特許請求の範囲】
【請求項１】
シリンダ上部のシリンダヘッドに対してクランク軸方向に冷却風が流通する方式の４サイクルエンジンを背負架台に搭載した背負い式送風作業機であって、前記クランク軸に取付けられる送風式作業ファンは前記冷却風を前記シリンダヘッドに導風するファンとしても機能し、前記４サイクルエンジンは、吸気ポート及び排気ポートと、前記吸気ポート及び前記排気ポートと連通して形成された燃焼室と、前記吸気ポート及び前記排気ポートの上部に形成された動弁系収容室と、前記シリンダヘッドから上方に突出し前記クランク軸方向に延伸する複数の縦フィンと、を備え、前記吸気ポート、前記排気ポート、前記燃焼室、前記動弁系収容室及び複数の前記縦フィンが、前記シリンダヘッドに形成され、前記シリンダヘッドにおいて、吸気バルブ及び排気バルブが備えられ、前記吸気ポート、前記排気ポート及び前記動弁系収容室により前記冷却風が流通する開口の断面積が、風上側から風下側へ行くにしたがって小さくなるように形成され、前記開口の風上側に点火プラグが配置され、前記縦フィンは前記動弁系収容室と結合されると共に前記吸気ポート及び前記排気ポートから風上側に延伸し前記点火プラグを挟むようにそれぞれ形成され、前記動弁系収容室の風下側にプッシュロッドガイドが形成され、前記点火プラグと、前記吸気バルブ及び前記排気バルブとは、前記点火プラグのメンテナンス性を確保するために、前記シリンダの中心軸に対して、前記点火プラグの傾斜角度が小さくなるよう、前記シリンダの中心軸線を含み前記クランク軸と直交する平面に対して略等角度離間して配置され、前記４サイクルエンジンが、前記プッシュロッドガイドと反対側であって前記送風式作業ファンの側で、前記背負架台に取付けられてなることを特徴とする４サイクルエンジンを搭載した背負い式送風作業機。
【発明の詳細な説明】
【技術分野】
【０００１】
本発明は、例えば背負い式ブロワ等の４サイクルエンジンを搭載した背負い式送風作業機に関する。
【背景技術】
【０００２】
従来、４サイクルエンジンのエンジン出力を向上させ、かつ有害な排気ガスの排出低減を図るために、エンジンの燃焼室の形状を理想的に形成するための研究が行われており、燃焼室形状の一例としてウェッジ型やバスタブ型の燃焼室形状が知られている（例えば、特公昭６０−５７７４号公報）。そしてこのような理想的な燃焼室形状を得るために、車両用その他の大型４サイクルエンジンにおいては、エンジンのシリンダと燃焼室が形成されるシリンダヘッドとを分離して設計する手法が知られている。
【０００３】
一方、背負い式ブロワ等の携帯型作業機の動力として用いられる４サイクルエンジンでは、エンジンの小型化及び軽量化が最も優先されるため、従来、シリンダとシリンダヘッドが一体型に形成された４サイクルエンジンが用いられていた（例えば、特許第３１５９２９６号公報）。
【０００４】
【特許文献１】特公昭６０−５７７４号公報
【特許文献２】特許第３１５９２９６号公報
【発明の開示】
【発明が解決しようとする課題】
【０００５】
しかしながら、シリンダとシリンダヘッドが分離された構造のエンジンでは、シリンダとシリンダヘッドとを堅固かつ緊密に締着しないとこれらの結合面から燃焼ガスが漏出して出力低下の原因となるという問題がある。また、燃焼室が形成されたシリンダヘッドに生じる急激な温度勾配によりシリンダヘッドの熱膨張に起因して結合面から燃焼ガスが漏出して、反ってエンジン出力を低下させてしまったり、エンジンの汚損或いは破損の原因になったりする場合があった。このためシリンダとシリンダヘッドが分離された構造のエンジンでは、シリンダヘッドの冷却性の改善及び剛性の改善が設計上の重要な課題となっている。
【０００６】
例えば携帯型作業機の一つである背負い式ブロワの場合、作業時に８０００ｒｐｍ程度の最高回転数で使用され続ける場合もあり、シリンダ及びシリンダヘッドに高周波の衝撃が加えられるとともに、シリンダヘッドに収容される動弁系部材がシリンダヘッドに直接衝撃を与えるので、シリンダとシリンダヘッドが分離されたエンジンではシリンダヘッドの破損を防止しシリンダとの結合面の密閉性を維持するために、特にシリンダヘッドの剛性を高める必要がある。シリンダヘッドの剛性を高めるためにシリンダヘッドを肉厚化したり、シリンダとのボルト締付けボスの高さを増したりすると、エンジンの大型化及び重量増加を招来するという課題があり、携帯型作業機で最も必要要件とされる小型化、軽量化が満たされず、携帯型作業機にはシリンダとシリンダヘッドが分離されて構成された携帯型４サイクルエンジンは搭載されてこなかった。従来のシリンダとシリンダヘッドが一体型に構成された４サイクルエンジンにはエンジン出力のこれ以上の向上に限界があり、このような４サイクルエンジンを搭載する携帯型作業機は、エンジンの低出力に起因する作業性上の課題が残されている。
【０００７】
本発明は上述した課題に鑑みてなされたものであり、小型、軽量、高出力の４サイクルエンジンを搭載した背負い式送風作業機を提供し、また、エンジンの冷却性能及び作業機としての作業性、メンテナンス性を改善した４サイクルエンジンを搭載した背負い式送風作業機を提供することを目的とする。
【課題を解決するための手段】
【０００８】
このような課題を解決するために請求項１に記載の発明は、シリンダ上部のシリンダヘッドに対してクランク軸方向に冷却風が流通する方式の４サイクルエンジンを背負架台に搭載した背負い式送風作業機であって、前記クランク軸に取付けられる送風式作業ファンは前記冷却風を前記シリンダヘッドに導風するファンとしても機能し、前記４サイクルエンジンは、吸気ポート及び排気ポートと、前記吸気ポート及び前記排気ポートと連通して形成された燃焼室と、前記吸気ポート及び前記排気ポートの上部に形成された動弁系収容室と、前記シリンダヘッドから上方に突出し前記クランク軸方向に延伸する複数の縦フィンと、を備え、前記吸気ポート、前記排気ポート、前記燃焼室、前記動弁系収容室及び複数の前記縦フィンが、前記シリンダヘッドに形成され、前記シリンダヘッドにおいて、吸気バルブ及び排気バルブが備えられ、前記吸気ポート、前記排気ポート及び前記動弁系収容室により前記冷却風が流通する開口の断面積が、風上側から風下側へ行くにしたがって小さくなるように形成され、前記開口の風上側に点火プラグが配置され、前記縦フィンは前記動弁系収容室と結合されると共に前記吸気ポート及び前記排気ポートから風上側に延伸し前記点火プラグを挟むようにそれぞれ形成され、前記動弁系収容室の風下側にプッシュロッドガイドが形成され、前記点火プラグと、前記吸気バルブ及び前記排気バルブとは、前記点火プラグのメンテナンス性を確保するために、前記シリンダの中心軸に対して、前記点火プラグの傾斜角度が小さくなるよう、前記シリンダの中心軸線を含み前記クランク軸と直交する平面に対して略等角度離間して配置され、前記４サイクルエンジンが、前記プッシュロッドガイドと反対側であって前記送風式作業ファンの側で、前記背負架台に取付けられてなることを特徴とする。
【発明の効果】
【００１３】
本発明によれば、背負い式送風作業機に搭載される４サイクルエンジンが、シリンダとシリンダヘッドが分離されるように構成され、更に燃焼室をウェッジ型に形成しているので、圧縮比を高めることが可能となり、エンジン出力を向上させることができる。また、シリンダヘッドの冷却風の風下側に動弁系収容室を形成し、シリンダヘッドから上方に突出してクランク軸方向に延伸する複数の縦フィンをシリンダヘッドに一体的に形成しているので、高出力化に伴い発熱量、燃焼圧力等が増加しても、４サイクルエンジンの剛性及び冷却性能が高く動力源としての性能を十分に引き出すことが可能となり、小型、軽量、高出力で作業性の良好な背負い式送風作業機を提供することができる。
【００１４】
上記本発明の効果に加えて、縦フィンが冷却風を発生させるファン側に形成されているので、縦フィンの冷却性能が向上し、シリンダヘッドの冷却効率を高めることができる。
【００１５】
上記本発明の効果に加えて、シリンダヘッドに排気ポートが一体的に形成され、特にこの排気ポートの外周部に冷却風が導風されるように、シリンダヘッドの冷却風の風上側に少なくとも１つの縦フィンと点火プラグとを配置して構成しているので、エンジンの排気ガスにより温度上昇の激しい排気ポート及び排気バルブ周辺の冷却効率が高まり、シリンダヘッドの熱膨張によるシリンダとシリンダヘッドとの結合面からの燃焼ガスの漏洩を防止することができ、燃焼ガスの漏洩による不具合を防止でき、４サイクルエンジンの高出力化が可能となり、背負い式送風作業機の十分な作業性能を得ることができる。
【００１６】
上記本発明の効果に加えて、シリンダヘッドが吸気バルブと排気バルブを備え、点火プラグと、これら吸気バルブ及び排気バルブとが、シリンダの中心軸線を含みクランク軸と直行交する平面に対して略等角度離間してＶ字型に配置されているので、点火プラグと吸気バルブ及び排気バルブをシリンダ中心軸近傍でバランスよく配置することができる。また、シリンダの中心軸線に対する点火プラグの傾斜を従来に比して小さくできるので、点火プラグの側に作業機があっても点火プラグのメンテナンス性を損なわない背負い式送風作業機を得ることができる。
【００１７】
上記本発明の効果に加えて、背負い式送風作業機が送風機であるので、この送風機のファンによって発生する冷風を直接４サイクルエンジンの冷却風として利用することができる。また、動弁系収容室と反対側のクランク軸に作業機のファンが取付けられるので、作業機側の出力軸長を短くすることができ、ファンの軸振れを抑制することができる。特に背負い式ブロワの場合、背負架台と作業機の重心との距離を短くすることができるので、作業者の腰にかかる負担を低減することができる。
【発明を実施するための最良の形態】
【００１８】
以下、本発明に係る４サイクルエンジンを搭載した背負い式送風作業機の好適な一実施形態について図面を参照して説明する。なお、図１は本発明の一実施形態に係る背負い式送風作業機の一使用例を説明するための図、図２は本発明の一実施形態に係る４サイクルエンジンを搭載した背負い式送風作業機の断面図、図３は本発明の一実施形態に係る４サイクルエンジンの外観を示す斜視図、図４は本発明の一実施形態に係る４サイクルエンジンの上面図、図５は図４のＡ−Ａ線断面図、図６は図５のＧ−Ｇ線断面図である。図７は従来の４サイクルエンジンを示す断面図である。
【００１９】
図１に示すように、本実施形態に係る背負い式送風作業機としての背負い式ブロワ１には、その駆動部にエンジンカバー３に被覆された４サイクルエンジン２が取付けられて動力源として使用される。作業者は４サイクルエンジン２を含む作業機出力部が取付けられた背負架台２１を背負って、ブロワからの送風により落ち葉等の清掃作業を行う。これらの作業機１は携帯して作業を行うものであるため、動力源としての４サイクルエンジン２には小型、軽量で高出力のものが望まれている。
【００２０】
図２は、本実施形態に係る４サイクルエンジン２を搭載した背負い式送風作業機１の断面図である。図２において、４サイクルエンジン２はシリンダ８とシリンダヘッド１０とクランク軸５を備えている。クランク軸５の一端側にはブロワの送風を発生させるためのファン６が同軸的に固着されており、点火プラグ１４がシリンダヘッド１０のファン側に配置されている。４サイクルエンジン２はエンジンカバー３に被覆されて、このエンジンカバー３によってファン６が発生する風の一部を４サイクルエンジン２の冷却風として利用するための流通路が形成されている。エンジンカバー３に被覆された４サイクルエンジン及びファン６を含むブロワ本体部が背負架台２１に取付けられている。
【００２１】
図３は本実施形態に係る背負い式送風作業機１に搭載される４サイクルエンジン２の外観を示す斜視図であり、図４は図３の上面図である。図３及び図４において、４サイクルエンジン２の側面には、キャブレター１６とマフラー１８が取付けられている。クランク軸５を回転自在に支承するクランクケース４の上部には、例えばアルミニウム合金をダイカスト成型して一体的に形成されたシリンダ８が配置されている。シリンダ８の上部には、シリンダ８と同様にアルミニウム合金等をダイカスト成型して作製したシリンダヘッド１０が載置され、このシリンダヘッド１０に形成された４箇所のボルト座１０ｃにボルト１３を挿通してシリンダ８とシリンダヘッド１０が堅固に締着されている。
【００２２】
図示しない燃料タンクから供給されるガソリン等の燃料は、キャブレター１６で霧化され、吸気ポート１０ｅを通じて後述する燃焼室１５（図６参照）に送られる。吸気行程で吸気バルブ２０（図６参照）が開弁して燃焼室１５に気化した燃料が送られ、圧縮行程、膨張行程及び排気行程の４つの行程を繰り返す。排気行程では排気バルブ１２（図６参照）が開弁し、燃焼室１５から排気ガスが排気ポート１０ｆを通じてマフラー１８に送られ、外部に排出される。
【００２３】
シリンダヘッド１０の上部には、吸気ポート１０ｅと排気ポート１０ｆが対向して一体的に形成されている。吸気ポート１０ｅの一端は、シリンダヘッド１０の略中央部でシリンダヘッド１０の下面に形成された後述する燃焼室１５（図６参照）に連通しており、他端はヒートインシュレータを介してキャブレター１６に接続されている。排気ポート１０ｆも一端が燃焼室１５に連通しており、他端はマフラー１８に接続されている。
【００２４】
吸気ポート１０ｅ及び排気ポート１０ｆの上部には、後述する吸気バルブ２０、排気バルブ１２、プッシュロッド１１その他の動弁系部材を収容する動弁系収容室１０ｇが、一対のバルブガイドボス１０ｆ２によってそれぞれ吸気ポート１０ｅ及び排気ポート１０ｆに連通して一体的に形成されている。動弁系収容室１０ｇの上部はロッカーカバー９で閉塞されている。
【００２５】
図３中符号１０ｇ２は、吸気ポート１０ｅ、排気ポート１０ｆ、バルブガイドボス１０ｆ２及び動弁系収容室１０ｇによって形成された開口を示し、この開口１０ｇ２はクランク軸５に取付けられたファン６からの冷却風の流通路となっている。図４中矢線１９は冷却風の流れを示し、開口１０ｇ２は、風上側から風下側へ行くに従ってその断面積が小さくなるような形状に形成されているので、開口１０ｇ２の風上側の広い間口から送入した冷却風は風下側でその流速を増し、シリンダヘッド１０の冷却効果が向上する。
【００２６】
シリンダヘッド１０の上部には多数の縦フィン１０ｄ１、１０ｄ２、１０ｄ３、１０ｄ４が一体的に形成されている。これらの縦フィン１０ｄ１、１０ｄ２、１０ｄ３、１０ｄ４は、冷却風を効率よく導風してシリンダヘッド１０の冷却効果を向上させる機能を果たすとともに、シリンダヘッド１０及びこのシリンダヘッド１０に一体的に形成されている吸気ポート１０ｅ、排気ポート１０ｆ、バルブガイドボス１０ｆ２、動弁系収容室１０ｇの剛性を高める機能を果たしている。
【００２７】
本実施形態においては、開口１０ｇ２近傍の風上側に点火プラグ１４が配置されており、点火プラグ１４を挟むように縦フィン１０ｄ２と１０ｄ３が形成されている。縦フィン１０ｄ３は、バルブガイドボス１０ｆ２及び動弁系収容室１０ｇと結合され、バルブガイドボス１０ｆ２との結合部分は、バルブガイドボス１０ｆ２の中心部から離間したバルブガイドボス１０ｆ２のクランク軸方向と直交する方向の外側端部で結合されている。このように構成することにより、風上側から流れる冷却風は点火プラグ１４で分流するが、縦フィン１０ｄ２、１０ｄ３によって分散することなくバルブガイドボス１０ｆ２の外周を効率的に冷却し、開口１０ｇ２で合流して吸気ポート１０ｅ及び排気ポート１０ｆの外周を冷却する。
【００２８】
開口１０ｇ２は風上側で広く冷却風を取り込み、開口の風下側は先細りとなっているので合流した冷却風は流速を増し、バルブガイドボス１０ｆ２周辺の冷却効率が高まる。特に排気ポート１０ｆにおけるバルブガイド１２ｂ（図５参照）付近は、燃焼室１５（図５参照）から直接排気ガスが通過するので温度が高まり易い。このため、高温となるバルブガイド１２ｂ付近を効率よく冷却することで、シリンダヘッド１０全体をバランスよく冷却することが可能となる。
【００２９】
符号１０ｈは、シリンダ８の中心軸線８ａ（図５参照）と交わる位置に描いたクランク軸５方向と直交する方向の仮想線を示し、符号１０ｅ１及び１０ｆ１は、それぞれ吸気ポート１０ｅ及び排気ポート１０ｆの中心軸線の位置を示す仮想線である。本実施形態では、吸気ポート１０ｅ及び排気ポート１０ｆの中心軸線をシリンダ８の中心軸線８ａの位置よりも風下側に設定している。これにより、シリンダヘッド１０上の風上側の面積を広く確保することができ、この広く確保された風上側に多数の縦フィン１０ｄ１、１０ｄ２、１０ｄ３、１０ｄ４を配置することができる。本実施形態では、動弁系収容室１０ｇのクランク軸５方向と直交する方向の両端部に縦フィン１０ｄ１、１０ｄ２を結合している。これにより、動弁系収容室１０ｇの剛性を高めることができる。本実施形態によれば、冷却性能に優れ、剛性を高めつつ、小型、軽量化されたシリンダヘッド１０が構成される。
【００３０】
図５は図４のＡ−Ａ線断面の要部を示す要部断面図であり、排気バルブ１２及びプッシュロッド１１が位置している部位の断面を示している。図６は図５のＧ−Ｇ線断面の要部を示す要部断面図であり、吸気バルブ２０及び排気バルブ１２が位置している部位の断面を示している。
【００３１】
図５及び図６において、排気ポート１０ｆと動弁系収容室１０ｇを接続するように一体的に形成されたバルブガイドボス１０ｆ２には円筒状のバルブガイド１２ｂが保持されている。排気バルブ１２は、そのバルブステム１２ａが摺動可能にバルブガイド１２ｂに支持されており、クランク軸５の回転と連動してプッシュロッド１１によって駆動され開閉動作を行う。なお、図５及び図６において、符号１７はシリンダ８の内部を上下方向に往復動作するピストンを示す。
【００３２】
エンジン駆動系の潤滑は、例えば特開平１０−２８８０１９号公報等に開示されているように、図示しないオイルタンクからクランクケース４内部のクランク室内の圧力変化を利用してオイルがクランク室内に送られ、クランク室内でオイルは霧化する。霧化したオイルはプッシュロッドガイド１０ｇ３へ送られ、動弁系収容室１０ｇ内部の吸気バルブ２０及び排気バルブ１２等を潤滑した後オイルタンクへ戻されて循環し、各部位の動作を円滑にする。
【００３３】
本実施形態では、動弁系収容室１０ｇの底部１０ｇ１は、点火プラグ１４が配置されている風上側から風下側に向けて下方に傾斜した形状に形成されている。また動弁系収容室１０ｇの風下側には、プッシュロッド１１を収容する収容孔を備えたプッシュロッドガイド１０ｇ３が下方に連通して一体的に形成されている。このように構成することにより、動弁系収容室１０ｇ内で液化した潤滑オイルが動弁系収容室１０ｇ内の底部１０ｇ１を流下してプッシュロッドガイド１０ｇ３に回収され、必要以上に動弁系収容室１０ｇ内に潤滑オイルが滞留することを防止することができる。図示はしないが、動弁系収容室１０ｇはブリーザ機構を備え、ブローバイガスを吸気系に戻すように構成されている。動弁系収容室１０ｇ内に必要以上に液化オイルが滞留すると、外部にオイルを排出し必要以上のオイルを消費してエンジン駆動系の潤滑不良を引き起こす場合があるが、本実施形態に係る構成により、必要以上のオイル消費を抑制することができる。
【００３４】
一方、動弁系収容室１０ｇ外周部の底部１０ｇ１は冷却風を開口１０ｇ２へ導く導風構造の一部を形成するので、動弁系収容室１０ｇ周辺の冷却効果を向上させることができる。上述したように本実施形態においては、高温となる排気バルブ１２付近が効率的に冷却されるので、バルブガイドボス１０ｆ２やバルブガイド１２ｂの温度上昇によりバルブガイドボス１０ｆ２とバルブガイド１２ｂの固着力が低下したり、バルブガイド１２ｂの変形によるバルブステム１２ａの摺動不良を惹起したりという不具合を防止することができる。
【００３５】
本実施形態では、高出力を得るために燃焼室１５形状をウェッジ型に形成している。このような燃焼室形状はシリンダ８とシリンダヘッド１０を分離する構造とすることで、理想的な形状を実現することができる。更に点火プラグ１４を燃焼室１５の深い側に配置することによって、高圧縮比が可能となるなど、より理想的な燃焼室形状を設計可能となりエンジン出力を向上させることができる。
【００３６】
本実施形態において、図５に示すように点火プラグ１４と吸気バルブ２０及び排気バルブ１２とは、シリンダ８の中心軸線８ａを含みクランク軸５と直行交する平面に対して略等角度間隔離間するようにＶ字型に配置されている。従来の携帯型作業機に搭載される４サイクルエンジンでは図７に示すように生産性を考慮して、吸気バルブ（図７には図示せず）及び排気バルブ１２のバルブステム１２ａがシリンダ中心軸８ａに対して平行に配置され、点火プラグ１４とシリンダ中心軸８ａのなす角度θａが大きく、点火プラグ１４が一方に大きく傾斜するように又燃焼室の端に寄った位置に配置されていた。このため特にブロワ等の作業機においては、プラグ交換等のメンテナンス性が損なわれるため、点火プラグ１４を作業機側に配置することができなかった。本実施形態に係る４サイクルエンジンにおいては、図５に示すように点火プラグ１４と吸気バルブ２０及び排気バルブ１２がシリンダ８の中心軸線８ａに対してバランス良く配置されるので、シリンダ８の中心軸線８ａに対して点火プラグ１４の傾斜角度θｂを小さくすることができる。これにより点火プラグ１４を作業機側（ファン６側）に配置しても、十分に背負い式送風作業機１のメンテナンス性を確保することが可能となる。
【００３７】
本実施形態において、シリンダヘッド１０の冷却風の風下側にはプッシュロッドガイド１０ｇ３が連通して形成された動弁系収容室１０ｇが形成されており、これに付随して風下側のクランク軸５には図示しない動弁装置が装着される。このためクランク軸５とファン６を含む作業機本体との接続は、本実施形態で採用している側、即ちプッシュロッドガイド１０ｇ３と反対側で行った方が接続軸の軸長を短くすることができる。クランク軸５と作業機１（ファン６）との接続部分の軸長を短くすることで、軸振れを低減することができるので、作業機１の振動を低減することができる。また、特に背負い式ブロワの場合、背負架台２１と作業機１の間隔を狭めることができ、作業機１の重心を作業者の腰に近づけることができるので、作業者の腰にかかる負担を軽減することができる。
【００３８】
本実施形態において、吸気ポート１０ｅ、排気ポート１０ｆ及び幾つかの縦フィン１０ｄ１等を、シリンダ８とシリンダヘッド１０との理想的な締着状態が得られるボルト座１０ｃの近傍に配置している。この構造により、シリンダヘッド１０が変形し難く、シリンダ８とシリンダヘッド１０との結合面１０ｂの面圧を高く確保できる携帯型４サイクルエンジン２を得ることができる。
【００３９】
以上説明したように本発明によれば、従来に比べて大型化、重量化をすることなく、より高出力でメンテナンス性に優れた４サイクルエンジン２を搭載した背負い式送風作業機１を得ることができる。
【産業上の利用可能性】
【００４０】
本発明に係る４サイクルエンジンを搭載した背負い式送風作業機は背負い式ブロワに限らず、例えばチェーンソー、ハンドヘルドブロア、刈払機等に適用することができる。
【図面の簡単な説明】
【００４１】
【図１】本発明の一実施形態に係る一使用例を示す図である。
【図２】本発明の一実施形態に係る４サイクルエンジンを搭載した背負い式送風作業機の断面図である。
【図３】本発明の一実施形態に係る携帯型４サイクルエンジンの外観を示す斜視図である。
【図４】本発明の一実施形態に係る携帯型４サイクルエンジンの上面図である。
【図５】図４のＡ−Ａ線断面図である。
【図６】図５のＧ−Ｇ線断面図である。
【図７】従来の携帯型作業機に搭載される４サイクルエンジンの一例を示す断面図である。
【符号の説明】
【００４２】
１…背負い式送風作業機
２…携帯型４サイクルエンジン
３…エンジンカバー
４…クランクケース
５…クランク軸
６…ファン
８…シリンダ
８ａ…シリンダ中心軸線
９…ロッカーカバー
１０…シリンダヘッド
１０ｂ…結合面
１０ｃ…ボルト座
１０ｄ１、１０ｄ２、１０ｄ３、１０ｄ４…縦フィン
１０ｅ…吸気ポート
１０ｅ１…吸気ポート中心軸線
１０ｆ…排気ポート
１０ｆ１…排気ポート中心軸線
１０ｆ２…バルブガイドボス
１０ｇ…動弁系収容室
１０ｇ１…底部
１０ｇ２…開口
１０ｇ３…プッシュロッドガイド
１０ｈ…シリンダ中心軸線と直交する仮想線
１１…プッシュロッド
１２…排気バルブ
１２ａ…バルブステム
１２ｂ…バルブガイド
１３…ボルト
１４…点火プラグ
１５…燃焼室
１６…キャブレター
１７…ピストン
１８…マフラー
１９…冷却風の流れ
２０…吸気バルブ
２１…背負架台
【図１】
0004636551.tif 000002
【図２】
0004636551.tif 000003
【図３】
0004636551.tif 000004
【図４】
0004636551.tif 000005
【図５】
0004636551.tif 000006
【図６】
0004636551.tif 000007
【図７】
0004636551.tif 000008